(57)【要約】      （修正有）【課題】交換レンズが取り出され、空となったレンズケースをその軸方向に短縮した後も容易には伸長せず、携帯性を損なわせぬようにしたレンズケースを提供する。【解決手段】携帯用レンズケースは、筒部と、蓋部と、紐手段とを具備する。筒部は、底部と開放端を有する屈曲可能な材料よりなる筒に形成され、筒の母線方向に短縮可能であって、筒の周面の該開放端近傍に互いに対向するように貫通した一対の開口３ｃを有する。紐手段は、一方の開口３ｃを貫通する。第１端部が外部に露出し、第２端部が筒部の底部の内面に固着された第１の紐部分と、他方の開口３ｃを貫通し第３端部が外部に露出し、第４端部が筒部の底部の内面に固着された第２の紐部分とからなり、第１の紐部分及び第２の紐部分それぞれに面ファスナー７が固着される。【選択図】図１
0003180650.tif 000002
【実用新案登録請求の範囲】
【請求項１】
携帯用レンズケースにおいて、
一端部が閉じられた底部を有し、他端部が開放された開放端を有する屈曲可能な材料よりなる筒に形成され、該筒の母線方向に短縮可能であって、該筒の周面の該開放端近傍に互いに対向するように貫通した一対の開口を有する交換レンズを収納するための筒部と、
上記筒部の開放端を閉じることが可能な蓋部と、
上記一対の開口の一方の開口を貫通し、一端である第１端部が外部に露出し、他端である第２端部が上記筒部の底部の内面に固着された第１の紐部分と、上記一対の開口の他方の開口を貫通し一端である第３端部が外部に露出し、他端である第４端部が上記筒部の上記底部の内面に固着された第２の紐部分とからなり、該第１の紐部分，及び該第２の紐部分それぞれに面ファスナーが固着され、上記筒部に交換レンズが納められていないとき、上記筒部を短縮して上記底部外面を抱え込むように巻き付き該一対の面ファスナー同士が結合し上記筒部が短縮維持されるための紐手段と、
を具備したことを特徴とする携帯用レンズケース。
【請求項２】
上記筒部は、上記筒部を捻って上記筒部母線方向に短縮化されることを特徴とする上記請求項1記載の携帯用レンズケース。
【請求項３】
上記筒部は、上記筒部を蛇腹状に上記筒部母線方向に短縮化されることを特徴とする上記請求項1記載の携帯用レンズケース。
【請求項４】
上記紐手段は単一の紐部材からなり、上記第２端部と上記第４端部とが連続して形成されていることを特徴とする上記請求項１乃至３記載の携帯用レンズケース。
【請求項５】
上記筒部は一端部が天板部により閉じられ、他端部が開放された開放端を有する屈曲可能な材料よりなる円筒形状となっていることを特徴とする上記請求項１乃至４記載の携帯用レンズケース。
【請求項６】
上記蓋部は筒状に形成され、該筒の母線方向に短縮化可能な材料（材質）からなり、上記蓋部の天板部外面において上記紐手段の上記一対の面ファスナー同士が結合し、上記蓋部が短縮されることを特徴とする上記請求項５記載の携帯用レンズケース。
【請求項７】
上記蓋部には交換レンズのレンズキャップが収納可能となっていることを特徴とする上記請求項１乃至６記載の携帯用レンズケース。
【請求項８】
上記筒部の上記開放端と上記蓋部とは線ファスナーによって結合されることを特徴とする上記請求項１乃至７記載の携帯用レンズケース。
【考案の詳細な説明】
【技術分野】
【０００１】
本考案はレンズケース、詳しくは交換レンズのための携帯用レンズケースに関するものである。
【背景技術】
【０００２】
従来より、交換レンズなどを収納するためのケースが存在する。例えば筒状のハードケースなどがその代表例として挙げることができるが、これらは交換レンズがカメラに装着され空の状態となっているときには携帯には不便であり、不要なものとなってしまっている。そこで携帯性をより向上させるために，例えば実開昭５８−１０９７０４ではゴム性の筒部をその軸方向に短縮することができる構成としている。
【先行技術文献】
【非特許文献】
【０００３】
【非特許文献１】実開昭５８−１０９７０４
【考案の概要】
【考案が解決しようとする課題】
【０００４】
ところが、上記実開昭５８−１０９７０４号公報によって開示されているレンズケースでは、ケースから交換レンズが取り外され空となったレンズケースを折り畳むとその軸方向には短縮されるものの、比較的小さな外力によりその折り畳みがゴムの復元弾性力により簡単に再び伸長してしまうものであった。
【０００５】
本考案は上述した点に鑑みてなされるものであって、その目的とするところは、交換レンズが取り出され、空となったレンズケースをその軸方向に短縮した後も容易には伸長せず、携帯性を損なわせぬようにしたレンズケースを提供することである。
【課題を解決するための手段】
【０００６】
本考案の携帯用レンズケースは一端部が閉じられた底部を有し、他端部が開放された開放端を有する屈曲可能な材料よりなる筒に形成され、該筒の母線方向に短縮可能であって、該筒の周面の該開放端近傍に互いに対向するように貫通した一対の開口を有する交換レンズを収納するための筒部と、上記筒部の開放端を閉じることが可能な蓋部と、上記一対の開口の一方の開口を貫通し、一端である第１端部が外部に露出し、他端である第２端部が上記筒部の底部の内面に固着された第１の紐部分と、上記一対の開口の他方の開口を貫通し一端である第３端部が外部に露出し、他端である第４端部が上記筒部の上記底部の内面に固着された第２の紐部分とからなり、該第１の紐部分，及び該第２の紐部分それぞれに面ファスナーが固着され、上記筒部に交換レンズが納められていないとき、上記筒部を短縮して上記底部外面を抱え込むように巻き付き該一対の面ファスナー同士が結合し上記筒部が短縮されるための紐手段と、を具備した。
【考案の効果】
【０００７】
本考案によれば、空になったレンズケースをコンパクトに折りたたんで、携帯性に優れた携帯用レンズケースを提供できる。
【図面の簡単な説明】
【０００８】
【図１】本考案のレンズケースであって、蓋が開けられレンズケースが伸長した状態の外観斜視図である。
【図２】本考案のレンズケースであって、交換レンズを収納し、図１の状態から蓋が閉じられレンズケースが伸長した状態の外観斜視図である。
【図３】本考案のレンズケースであって、交換レンズを収納し、図２の状態から一対の帯が蓋上方で連結された状態の外観斜視図である。
【図４】本考案のレンズケースであって、図１の状態から収納本体部を短縮し一部を破断した状態の外観斜視図である。
【図５】本考案のレンズケースであって、図４の状態にある筒本体を、図４の矢印Ｗの方向から見たときの平面概略図である。
【図６】本考案のレンズケースであって、交換レンズを非収納の状態で図１の状態から線ファスナーにより蓋を閉じて、一対の帯の面ファスナーをレンズケース下面にて連結した状態の図である。
【図７】本考案のレンズケースであって、交換レンズを非収納の状態で図１の状態から線ファスナーにより蓋を閉じて、一対の帯の面ファスナーをレンズケース上面にて連結した状態の図である。
【図８】本考案のレンズケースであって、交換レンズ用のリアレンズキャップを外した交換レンズを収納の状態で図１の状態から線ファスナーにより蓋を閉じて、一対の帯の面ファスナーをレンズケース上面にて連結した状態の図である。
【考案を実施するための形態】
【０００９】
本考案のレンズケースの構成を図１乃至図２を基に説明する。
【００１０】
図１において、本考案のレンズケース１は主に蓋ケース２と、本体ケース３と、締帯とからなっている。そして蓋ケース２は、一端部が閉じられた天板部２ｂとなる底部を有し、他端部が開放された開放端を有する屈曲可能な材料、例えば、帆布よりなる筒に形成され、該筒の母線方向に短縮可能な円筒径の筒部であって蓋筒部２ａである。
【００１１】
レンズケース１の蓋部となる蓋ケース２はその天板部２ｂの内側に内側ポケット２ｃを有し、薄い板形状の物、例えば交換レンズ８の被写体側のレンズ前面に、その前面レンズを保護するためのフロントレンズキャップ１０が収納可能となっている。この内側ポケット２ｃのポケット口元２ｄはゴム等の伸縮自在の材料からなり、フロントレンズキャップ１０が自在に収納、取り出しができるようになっている。また、蓋ケース２の天板部２ｂの外観側には外側ポケット２ｅが配置されている。この外側ポケット２ｅのポケット口元２ｆも同様にゴム等の伸縮自在の材料からなり、フロントレンズキャップ１１が自在に収納、取り出しができるようになっている。
【００１２】
蓋ケース２の開放端の略全周に、一対のテープ５ｃ、５ｄからなる線ファスナー５の務歯（エレメント）が設けられている一方のテープ５ｃが縫い付けられている。
【００１３】
本体ケース３は、一端部が閉じられた底部を有し、他端部が開放された開放端を有する屈曲可能な材料、例えば、帆布よりなる筒に形成され、該筒の母線方向に短縮可能であって、該筒の周面の該開放端近傍に互いに対向するように該筒の周面壁を貫通したボタンホール状の一対の開口３ｃを有する交換レンズ８を収納するための円筒径の筒部である。一対の開口３ｃは円筒の周方向に沿って、後述の平たい紐が本体ケース３の内外を通過可能な程度に直線状の切込みとして設けられている。本体ケース３は帆布などの布で形成されているので一対の開口３ｃの周囲はボタンホールステッチが施されている。
【００１４】
また、本体ケース３の開放端の略全周に、一対のテープ５ｃ、５ｄからなる線ファスナー５の務歯（エレメント）が設けられている他方のテープ５ｄが縫い付けられている。
【００１５】
そして蓋ケース２と本体ケース３とは互いの開放端同士が向き合うように一部が丁番の機能となる布でできた丁番部４で結合される。これにより本体ケース３に対し蓋ケース２は本体ケース３の開放端を開閉となる。この結合により線ファスナー５の一対のテープ５ｃ、５ｄは互いに向き合うことが可能であるから、本体ケース３の開放端を蓋ケース２により閉じられたときに線ファスナー５の引き手５ｂを引くことにより線ファスナー５のスライダー５ａが務歯同士を噛合いさせ結合させて本体ケース３と蓋ケース２の全周に亘って互いの開放端を閉じることが可能となる。すなわち、交換レンズ８をレンズケース１の中に収納できる。
【００１６】
紐手段となる平紐６は長さ寸法を有し、ナイロン等の合成樹脂材料、布、綿、もしくは皮などの複数回折り曲げても支障のない丈夫な平たい厚みの薄いベルトからなり、その幅、厚みは開口３ｃを容易に通過できるほどの寸法である。
【００１７】
平紐６は一対の締紐部６ｂと底紐部からなる。一方の締紐部６ｂは一方の開口３ｃを通過させたまま、第１の端部である一端が外部に自由端として延びている。一方の締紐部６ｂの第２の端部である他端は本体ケース３の底部に縫い付けられているなどして固定されている。また、平紐６の他方の締紐部６ｂは他方の開口３ｃを通過させたまま、第３の端部である一端が外部に自由端として延びている。他方の締紐部６ｂの第４の端部である他端も本体ケース３の底部に縫い付けられているなどして固定されている。尚、図１において平紐６は1本の紐で表現されているが、本説明はこれと異なるところは無い。すなわち、一本の平紐６を一対の平紐６からなるものとして表現しているに過ぎない。当然、一本の平紐６でなく２本の平紐６を用いて一方を一方の締紐部６ｂとし、他方を他方の締紐部６ｂとしてもよい。
【００１８】
一方の締紐部６ｂの本体ケース３から露出している二つの表面の一方の面には面ファスナー７７ａが設けられている。そして他方の締紐部６ｂの本体ケース３から露出している二つの表面の他方の面には面ファスナー７７ｂが設けられている。これら一対の面ファスナー７は、後述するように一対の締紐部６ｂが互いに重なり合ったときに面ファスナー７の結合機能が発揮されるようにそれぞれの締紐部６ｂそれそれに固定されている。
【００１９】
以上のように構成されたレンズケース１の作用を説明する。
【００２０】
尚、レンズケース１に収納される交換レンズ８は、フロントレンズキャップ１０、１１自身の厚みはさほどないものとして扱いその前面レンズの前にフロントレンズキャップ１０、１１が装着されていても、されていなくとも、よいとする。また、図１で示すように交換レンズ８の長さは、交換レンズ８の後端にリアレンズキャップ９が装着されているとき、すなわち交換レンズ８の先端からリアレンズキャップ９の後端までの寸法はＳ２とし、リアレンズキャップ９が装着されていないとき、すなわち交換レンズ８の先端からレンズマウントの後端までの寸法をＳ１とする。
【００２１】
始めにレンズケース１に交換レンズ８を収納させる方法を説明をする。
【００２２】
図１の状態、すなわち、本体ケース３の開放端は蓋ケース２に開状態にあり、本体ケース３に交換レンズ８が収納可能である。交換レンズ８が本体ケース３に収納され蓋ケース２により本体ケース３が蓋されると線ファスナー５のスライダー５ａがテープ５ｃ、５ｄの務歯上を走ると本体ケース３と蓋ケース２は一体化される。この収納状態では図２に示すような状態となる。一対の平紐６の自由端同士は自由であるので、取扱に邪魔となるのでこれを蓋ケース２の上で纏める。つまり一対の平紐６の締紐部６ｂ同士を重ね合わせ、面ファスナー７同士を固着結合させる。このような収納方法の結果が図３で示す状態である。当然に、この状態でレンズケース１の内法（うちのり）高さは寸法Ｓ２と略同等か、より大きくなければならない。
【００２３】
尚、図３を見れば分るように、外側ポケット２ｅの口元２ｆの開放端は締紐部６ｂの延伸方向と直交しているので、外部に露出された一対の締紐部６ｂ同士が面ファスナ７で結合されれば、外側ポケット２ｅに挿入されていたフロントレンズキャップ１１がポケットから脱落し、紛失することがない。
【００２４】
尚、図１乃至図４、図６乃至図８において蓋ケース２の天板部２ｂに設けられた外側ポケット２ｅ、内側ポケット２ｃそれぞれにはフロントレンズキャップ１０、１１が入れられている。
【００２５】
交換レンズ８がレンズケース１から取り出され、すなわちレンズケース１内に交換レンズ８が収納されていないとき、レンズケース１はその携帯性のため縮小されることが望ましく、レンズケース１の本体ケース３の長さ方向（円筒軸方向）に畳まれる。図４はその短縮状態を示す。この図４の短縮状態を作り出すため、本体ケース３の開放端側を、例えば図１、図２で示す円筒軸中心に反時計方向（矢印Ａ）に回し、これとは反対に本体ケース３の底板部３ｂを円筒軸中心に時計方向（矢印Ｂ）に相対的に捻る。本実施形態のレンズケース１では上記のように本体ケース３を捻ると図４、図５の状態となった。こうして本体ケース３はその長さ方向に短縮した。この状態を、図４中の矢印Ｗで示す方向から見た平面図として図５に示す。
【００２６】
図５において、本体ケース３の本体筒部３ａは、本体ケース３の内部に四つの屈曲襞３ｄ１、３ｄ２、３ｄ３，３ｄ４を形成した。一つの屈曲襞３ｄ１、３ｄ２、３ｄ３，３ｄ４それぞれは半分弱がとなりに形成された他の一つの屈曲襞に覆われる。そして四つの屈曲襞の内の一つである屈曲襞３ｄ１と締紐部６ｂの屈曲部６ｂ１が重なり、また対向する屈曲襞３ｄ３にも締紐部６ｂの屈曲部６ｂ２が重なる。これにより本体ケース３の円筒中心部には底板部３ｂが見えるように長方形の開通部が形成される。このとき、本体ケース３の開口３ｃを通過している締紐部６ｂは、極僅かに開口３ｃと相対移動をともないながら屈曲襞３ｄ１と屈曲襞３ｄ３により屈曲させられる。
【００２７】
尚、図５において底紐部の長手方向と、一対の開口３ｃを結ぶ直線とは略直交しているが必ずしも直交するわけでもない。この底紐部の長手方向と、一対の開口３ｃを結ぶ直線との交差度合いは主に本体ケース３の円筒部の長さと円筒部の外径等に左右される。
【００２８】
図４，図５で示す状態を維持するためには本体ケース３の開放端に蓋ケース２を被せ、本体ケース３の開放端と開放端と蓋ケース２の開放端とを線ファスナー５のスライドをスライドして線ファスナー５により結合し、一対の締紐部６ｂ同士を本体ケース３の底板部３ｂ外側にて重ね合わせ面ファスナー７により結合する。（図６参照）この状態ではレンズケース１の軸方向の長さをＬ１とすると、当然に交換レンズ８の光軸方向の長さＳ１より小さくなる。この短縮状態では蓋ケース２は短縮されていないので、蓋ケース２の円筒部の円筒軸中心の方向の内法の長さが９の厚み寸法より大きければ図６の状態で、レンズケース１内にリアレンズキャップ９を収納できる。
【００２９】
図４、図６では本体ケース３を捻って短縮したが、別の短縮方法として本体ケース３をそのまま円筒部の中心軸方向（円筒部の長さ方向）に押し潰すようにそのまま畳んでもよい。このとき本体ケース３の本体筒部３ａは蛇腹状に短縮する。この場合には、一対の締紐部６ｂを外部に引っ張り出し、内部にあった締紐部６ｂが開口３ｃを通過走行してその一部が外部に露出する。これにより外部に露出された一対の締紐部６ｂは長くなってしまい、面ファスナー７の結合に邪魔になるが、本体ケース３の底板部３ｂ外側上に重ねられる一方の面ファスナー７を折り畳み、他方の面ファスナー７をその上に重ね面ファスナー７同士を結合すればよい。これによりこの短縮状態が維持される。
【００３０】
更に別の短縮方法として図７においては、本体ケース３をそのまま円筒部の中心軸方向（円筒部の長さ方向）に押し潰すようにそのまま畳み、蓋ケース２も円筒部の中心軸方向（円筒部の長さ方向）に押し潰すこともできる。このときの面ファスナー７の結合は蓋ケース２の天板部２ｂの外側で行う。このときも上記と同様に締紐部６ｂが開口３ｃを通ってその一部が外部に露出しなければならないので、外部に露出された一対の締紐部６ｂは長くなってしまい、面ファスナー７の結合に邪魔になるが、蓋ケース２の天板部２ｂ外側上に重ねられる一方の面ファスナー７を折り畳み、他方の面ファスナー７をその上に重ね面ファスナー７同士を結合すればよい。これによりこの短縮状態が維持される。この短縮状態でのレンズケース１の円筒部の中心軸方向（円筒部の長さ方向）長さをＬ２とするとＬ１＞Ｌ２である。
【００３１】
図８においては更に、別の使い方（別の方法）としてリアレンズキャップ９を装着していない交換レンズ８をレンズケース１内に収納して蓋ケース２のみを円筒部の中心軸方向（円筒部の長さ方向）に押し潰してしようしてよい。この場合の締紐部６ｂの長さは、さほど邪魔にならず、一対の締紐部６ｂを互いに重ね合わせるようにすれば自然と面ファスナー７同士が結合し、蓋ケース２だけの短縮状態を維持する。この短縮状態でのレンズケース１の円筒部の中心軸方向（円筒部の長さ方向）長さをＬ３とするとＬ＞Ｌ３である。
【００３２】
以上のようにレンズケース１の短縮前、短縮後の寸法比較は、Ｌ＞Ｌ３＞Ｌ１＞Ｌ２となる。
【００３３】
尚、本考案のレンズケースにおいて、蓋ケース２の内側、外側にポケットを設けて、それぞれにフロントレンズキャップを挿入、収納可能としたが、これに限らず、それぞれのポケットにリアレンズキャップやカメラボディのボディマウントに装着されるフロントボディキャップが収納できるようにしておいてもよい。
【００３４】
以上のように構成されたレンズケースは様々な使い方ができ、携帯に優れたレンズケースと言える。
【産業上の利用可能性】
【００３５】
本考案は、交換レンズを収納可能にして、交換レンズを非収納の状態でも様々な使用法を提供でき、携帯性の優れたレンズケースである。
【符号の説明】
【００３６】
１・・・レンズケース、
２・・・蓋ケース、２ａ・・・蓋筒部、２ｂ・・・天板部、２ｃ・・・内側ポケット、
２ｄ・・・ポケット口元、２ｅ・・・外側ポケット、２ｆ・・・ポケット口元、
３・・・本体ケース、３ａ・・・本体筒部、３ｂ・・・底板部、３ｃ・・・開口、３ｄ１・・・屈曲襞、３ｄ２・・・屈曲襞、３ｄ３・・・屈曲襞、３ｄ４・・・屈曲襞、３ｅ・・・開通部
４・・・丁番部、
５・・・線ファスナー（ファスナー）、５ａ・・・スライダー（開閉部材）、５ｂ・・・引き手（引子）、５ｃ・・・テープ、５ｄ・・・テープ、
６・・・平紐、６ａ・・・底紐部、６ｂ・・・締紐部、６ｂ１・・・屈曲部、６ｂ２・・・屈曲部、
７・・・面ファスナー、
８・・・交換レンズ、
９・・・リアレンズキャップ、
１０・・・フロントレンズキャップ、
１１・・・フロントレンズキャップ
【図１】
0003180650.tif 000003
【図２】
0003180650.tif 000004
【図３】
0003180650.tif 000005
【図４】
0003180650.tif 000006
【図５】
0003180650.tif 000007
【図６】
0003180650.tif 000008
【図７】
0003180650.tif 000009
【図８】
0003180650.tif 000010